(57)【要約】【目的】  美容師、スタイリスト、デザイナーなどが各人の経験や美的センスのバラツキに拘わらず一定レベル以上の品質で各顧客に適したヘアカラー、ファッション、ヘアスタイルを提案・推奨することができ、顧客の側も提案されたものが自分にとって最適であることを容易に納得でき、美容師などの専門学校において各顧客に最適なヘアカラー、ファッション、ヘアスタイルを選択・推奨するための知識やノウハウを的確に教授することを可能にする、ヘアカラー、ファッション、及びヘアスタイルの似合わせ早見表を提供する。【構成】  複数種類のヘアカラーの色見本に関する情報、複数種類のスキンカラー、フェイスシェイプ、ヘアスタイル、又はファションに関する情報をそれぞれ表示して成る複数の円形シートと、前記各円形シートを互いに重ねた状態で回動可能に接続するための接続部とを備えた、ヘアカラー、ファッション、及びヘアスタイルの似合わせ早見表である。【選択図】    図１
0003132401.tif 000002
【実用新案登録請求の範囲】
【請求項１】
外周面に沿って外周側に形成された複数のブロックにそれぞれ異なる種類のヘアカラーの色見本に関する情報を表示して成る第１円形シートと、
前記第１円形シートの表面側に重ねて配置される第２円形シートであって、前記第１円形シートの前記ブロックより内側の部分を覆うような半径を有し、その外周面に沿って少なくとも外周側に形成された複数のブロックにそれぞれ異なる種類の肌のタイプに関する情報を表示して成る第２円形シートと、
前記第１円形シート及び前記第２円形シートを、それぞれの中心を互いに一致させながら重ねた状態で一方に対して他方が回動可能なように接続するための接続部と、
を備えたことを特徴とするヘアカラー似合わせ早見表。
【請求項２】
外周面に沿って外周側に形成された複数のブロックにそれぞれ異なる種類のヘアカラーの色見本に関する情報を表示して成る第１円形シートと、
前記第１円形シートの表面側に重ねて配置される第２円形シートであって、前記第１円形シートの前記ブロックより内側の部分を覆うような半径を有し、その外周面に沿って少なくとも外周側に形成された複数のブロックにそれぞれ異なる種類の顔の形又はタイプに関する情報を表示して成る第２円形シートと、
前記第１円形シート及び前記第２円形シートを、それぞれの中心を互いに一致させながら重ねた状態で一方に対して他方が回動可能なように接続するための接続部と、
を備えたことを特徴とするヘアカラー似合わせ早見表。
【請求項３】
外周面に沿って外周側に形成された複数のブロックにそれぞれ異なる種類のヘアカラーの色見本に関する情報を表示して成る第１円形シートと、
前記第１円形シートの表面側に重ねて配置される第２円形シートであって、前記第１円形シートの前記ブロックより内側の部分を覆うような半径を有し、その外周面に沿って少なくとも外周側に形成された複数のブロックにそれぞれ異なる種類の服装のタイプに関する情報を表示して成る第２円形シートと、
前記第１円形シート及び前記第２円形シートを、それぞれの中心を互いに一致させながら重ねた状態で一方に対して他方が回動可能なように接続するための接続部と、
を備えたことを特徴とするヘアカラー似合わせ早見表。
【請求項４】
外周面に沿って外周側に形成された複数のブロックにそれぞれ異なる種類のヘアカラーの色見本に関する情報を表示して成る第１円形シートと、
前記第１円形シートの表面側に重ねて配置される第２円形シートであって、前記第１円形シートの前記ブロックより内側の部分を覆うような半径を有し、その外周面に沿って少なくとも外周側に形成された複数のブロックにそれぞれ異なる種類のヘアスタイルのタイプに関する情報を表示して成る第２円形シートと、
前記第１円形シート及び前記第２円形シートを、それぞれの中心を互いに一致させながら重ねた状態で一方に対して他方が回動可能なように接続するための接続部と、
を備えたことを特徴とするヘアカラー似合わせ早見表。
【請求項５】
外周面に沿って外周側に形成された複数のブロックにそれぞれ異なる種類のファッションに関する情報を表示して成る第１円形シートと、
前記第１円形シートの表面側に重ねて配置される第２円形シートであって、前記第１円形シートの前記ブロックより内側の部分を覆うような半径を有し、その外周面に沿って少なくとも外周側に形成された複数のブロックにそれぞれ異なる種類のヘアスタイルのタイプ及び異なる種類の肌の色と顔の形から成る人物像のタイプのいずれか一方のタイプに関する情報を表示して成る第２円形シートと、
前記第２円形シートの表面側に重ねて配置される第３円形シートであって、前記第２円形シートの前記ブロックより内側の部分を覆うような半径を有し、その外周面に沿って少なくとも外周側に形成された複数のブロックにそれぞれ異なる種類のヘアスタイルのタイプ及び異なる種類の肌の色と顔の形から成る人物像のタイプのいずれか一方のタイプであって前記第２の円形シートに表示したものと異なるタイプに関する情報を表示して成る第３円形シートと、
前記第１、第２、及び第３円形シートを、それぞれの中心を互いに一致させながら重ねた状態で一方に対して他方が回動可能なように接続するための接続部と、
を備えたことを特徴とするファッション似合わせ早見表。
【請求項６】
外周面に沿って外周側に形成された複数のブロックにそれぞれ異なる種類のヘアスタイルに関する情報を表示して成る第１円形シートと、
前記第１円形シートの表面側に重ねて配置される第２円形シートであって、前記第１円形シートの前記ブロックより内側の部分を覆うような半径を有し、その外周面に沿って少なくとも外周側に形成された複数のブロックにそれぞれ異なる種類のファッションのタイプ及び異なる種類の肌の色と顔の形から成る人物像のタイプのいずれか一方のタイプに関する情報を表示して成る第２円形シートと、
前記第２円形シートの表面側に重ねて配置される第３円形シートであって、前記第２円形シートの前記ブロックより内側の部分を覆うような半径を有し、その外周面に沿って少なくとも外周側に形成された複数のブロックにそれぞれ異なる種類のファッションのタイプ及び異なる種類の肌の色と顔の形から成る人物像のタイプのいずれか一方のタイプであって前記第２の円形シートに表示したものと異なるタイプに関する情報を表示して成る第３円形シートと、
前記第１、第２、及び第３円形シートを、それぞれの中心を互いに一致させながら重ねた状態で一方に対して他方が回動可能なように接続するための接続部と、
を備えたことを特徴とするヘアスタイル似合わせ早見表。
【請求項７】
請求項１から４までのいずれかにおいて、前記第１円形シートの前記各ブロックには、それぞれ、対応するヘアカラーの色見本の色が着色・表示されている、ことを特徴とするヘアカラー似合わせ早見表。
【請求項８】
請求項１から４までのいずれかにおいて、前記第２円形シートの表面側には、前記第１円形シートと同じか少し大きい半径を有する表紙用の円形シートであって、少なくとも約３０度から約１２０度までの間のいずれかの中心角を構成する２つの半径により挟まれた部分が切り欠かれて成る表紙用の円形シートが、前記第１及び第２円形シートに対してそれらの各中心を互いに一致させながら重ねた状態で回動可能なように接続されている、ことを特徴とするヘアカラー似合わせ早見表。
【請求項９】
請求項１から４までのいずれかにおいて、前記第１円形シートの前記各ブロックの外周縁部には、それぞれ、対応するヘアカラーの実物見本が取り付けられている、ことを特徴とするヘアカラー似合わせ早見表。
【請求項１０】
請求項９において、前記の各ヘアカラー実物見本は、それぞれ、少なくとも複数回の着脱が可能な粘着テープにより、前記第１円形シートに対して着脱可能に取り付けられている、ことを特徴とするヘアカラー似合わせ早見表。
【請求項１１】
請求項５において、前記第３円形シートの表面側には、前記第１円形シートと同じか少し大きい半径を有する表紙用の円形シートであって、少なくとも約３０度から約１２０度までの間のいずれかの中心角を構成する２つの半径により挟まれた部分が切り欠かれて成る表紙用の円形シートが、前記第１、第２及び第３円形シートに対してそれらの各中心を互いに一致させながら重ねた状態で回動可能なように接続されている、ことを特徴とするファッション似合わせ早見表。
【請求項１２】
請求項６において、前記第３円形シートの表面側には、前記第１円形シートと同じか少し大きい半径を有する表紙用の円形シートであって、少なくとも約３０度から約１２０度までの間のいずれかの中心角を構成する２つの半径により挟まれた部分が切り欠かれて成る表紙用の円形シートが、前記第１、第２及び第３円形シートに対してそれらの各中心を互いに一致させながら重ねた状態で回動可能なように接続されている、ことを特徴とするヘアスタイル似合わせ早見表。
【考案の詳細な説明】
【技術分野】
【０００１】
本考案は、美容師又は顧客自身が各顧客の肌、顔の形、ファッション（服装）、又はヘアスタイルなどの観点からみて最適なヘアカラー、ファッション、ヘアスタイルを選択することを支援することができる、ヘアカラー、ファッション、及びヘアスタイルの似合わせ早見表に関する。なお、本考案のヘアカラー、ファッション、及びヘアスタイルの似合わせ早見表は、美容院などにおける実務の現場で使用できるだけでなく、美容師などを目指す人たちの教育の教材としても使用できるものである。
【背景技術】
【０００２】
従来より、美容院などにおけるヘアメイクの現場では、美容師が自分の経験や美的センスなどに基づいて各顧客に最適なヘアカラーを選定して顧客に提案・推奨することを行っている（なお美容の分野ではないが早見表に関して特許文献１参照）。
【特許文献１】実開平３−７５４７２号公報
【考案の開示】
【考案が解決しようとする課題】
【０００３】
しかしながら、各美容師の経験や美的センスにはバラツキがあるので、美容師によっては顧客に提案・推奨したヘアカラーがその顧客にとって最適ではないという場合が少なくない。また、美容師が最適なヘアカラーを提案・推奨した場合でも、何故それがその顧客にとって最適なのかをうまく説明できないため顧客を納得させることができないという場合も少なくない。さらに、美容師の専門学校などにおいては、美容師の資格を取るために勉強している人たちや経験が少ない美容師たちに対して、各顧客のために最適なヘアカラーを選択するための手法やノウハウをどのようにして教えたらよいのかという教授方法が未だ確立されていないため、効率的な学習ができないという問題があった。
【０００４】
本考案はこのような従来技術の問題点に着目してなされたものであって、美容師やスタイリストやデザイナーなどが各人の経験や美的センスのバラツキに拘わらず一定レベル以上のサービス品質で各顧客に適したヘアカラー、ファッション、ヘアスタイルを提案・推奨できるようにすることを可能にし、また美容師などが提案・推奨したヘアカラー、ファッション、ヘアスタイルがその顧客にとって最適であることを顧客に納得させることを容易にし、さらに美容師などの専門学校などにおいて各顧客にとって最適なヘアカラー、ファッション、ヘアスタイルを選択し提案・推奨するための知識やノウハウを的確に教授することを可能にする、ヘアカラー、ファッション、ヘアスタイルの似合わせ早見表を提供することを目的とする。
【課題を解決するための手段】
【０００５】
以上のような課題を解決するための本考案によるヘアカラー似合わせ早見表は、外周面に沿って外周側に形成された複数のブロックにそれぞれ異なる種類のヘアカラーの色見本に関する情報を表示して成る第１円形シートと、前記第１円形シートの表面側に重ねて配置される第２円形シートであって、前記第１円形シートの前記ブロックより内側の部分を覆うような半径を有し、その外周面に沿って少なくとも外周側に形成された複数のブロックにそれぞれ異なる種類の肌のタイプに関する情報を表示して成る第２円形シートと、前記第１円形シート及び前記第２円形シートを、それぞれの中心を互いに一致させながら重ねた状態で一方に対して他方が回動可能なように接続するための接続部と、を備えたことを特徴とするものである。
【０００６】
また、本考案によるヘアカラー似合わせ早見表は、外周面に沿って外周側に形成された複数のブロックにそれぞれ異なる種類のヘアカラーの色見本に関する情報を表示して成る第１円形シートと、前記第１円形シートの表面側に重ねて配置される第２円形シートであって、前記第１円形シートの前記ブロックより内側の部分を覆うような半径を有し、その外周面に沿って少なくとも外周側に形成された複数のブロックにそれぞれ異なる種類の顔の形又はタイプに関する情報を表示して成る第２円形シートと、前記第１円形シート及び前記第２円形シートを、それぞれの中心を互いに一致させながら重ねた状態で一方に対して他方が回動可能なように接続するための接続部と、を備えたことを特徴とするものである。
【０００７】
また、本考案によるヘアカラー似合わせ早見表は、外周面に沿って外周側に形成された複数のブロックにそれぞれ異なる種類のヘアカラーの色見本に関する情報を表示して成る第１円形シートと、前記第１円形シートの表面側に重ねて配置される第２円形シートであって、前記第１円形シートの前記ブロックより内側の部分を覆うような半径を有し、その外周面に沿って少なくとも外周側に形成された複数のブロックにそれぞれ異なる種類の服装のタイプに関する情報を表示して成る第２円形シートと、前記第１円形シート及び前記第２円形シートを、それぞれの中心を互いに一致させながら重ねた状態で一方に対して他方が回動可能なように接続するための接続部と、を備えたことを特徴とするものである。
【０００８】
また、本考案によるヘアカラー似合わせ早見表は、外周面に沿って外周側に形成された複数のブロックにそれぞれ異なる種類のヘアカラーの色見本に関する情報を表示して成る第１円形シートと、前記第１円形シートの表面側に重ねて配置される第２円形シートであって、前記第１円形シートの前記ブロックより内側の部分を覆うような半径を有し、その外周面に沿って少なくとも外周側に形成された複数のブロックにそれぞれ異なる種類のヘアスタイルのタイプに関する情報を表示して成る第２円形シートと、前記第１円形シート及び前記第２円形シートを、それぞれの中心を互いに一致させながら重ねた状態で一方に対して他方が回動可能なように接続するための接続部と、を備えたことを特徴とするものである。
【０００９】
また、本考案によるファッション似合わせ早見表は、外周面に沿って外周側に形成された複数のブロックにそれぞれ異なる種類のファッションに関する情報を表示して成る第１円形シートと、前記第１円形シートの表面側に重ねて配置される第２円形シートであって、前記第１円形シートの前記ブロックより内側の部分を覆うような半径を有し、その外周面に沿って少なくとも外周側に形成された複数のブロックにそれぞれ異なる種類のヘアスタイルのタイプ及び異なる種類の肌の色と顔の形から成る人物像のタイプのいずれか一方のタイプに関する情報を表示して成る第２円形シートと、前記第２円形シートの表面側に重ねて配置される第３円形シートであって、前記第２円形シートの前記ブロックより内側の部分を覆うような半径を有し、その外周面に沿って少なくとも外周側に形成された複数のブロックにそれぞれ異なる種類のヘアスタイルのタイプ及び異なる種類の肌の色と顔の形から成る人物像のタイプのいずれか一方のタイプであって前記第２の円形シートに表示したものと異なるタイプに関する情報を表示して成る第３円形シートと、前記第１、第２、及び第３円形シートを、それぞれの中心を互いに一致させながら重ねた状態で一方に対して他方が回動可能なように接続するための接続部と、を備えたことを特徴とするものである。
【００１０】
また、本考案によるヘアスタイル似合わせ早見表は、外周面に沿って外周側に形成された複数のブロックにそれぞれ異なる種類のヘアスタイルに関する情報を表示して成る第１円形シートと、前記第１円形シートの表面側に重ねて配置される第２円形シートであって、前記第１円形シートの前記ブロックより内側の部分を覆うような半径を有し、その外周面に沿って少なくとも外周側に形成された複数のブロックにそれぞれ異なる種類のファッションのタイプ及び異なる種類の肌の色と顔の形から成る人物像のタイプのいずれか一方のタイプに関する情報を表示して成る第２円形シートと、前記第２円形シートの表面側に重ねて配置される第３円形シートであって、前記第２円形シートの前記ブロックより内側の部分を覆うような半径を有し、その外周面に沿って少なくとも外周側に形成された複数のブロックにそれぞれ異なる種類のファッションのタイプ及び異なる種類の肌の色と顔の形から成る人物像のタイプのいずれか一方のタイプであって前記第２の円形シートに表示したものと異なるタイプに関する情報を表示して成る第３円形シートと、前記第１、第２、及び第３円形シートを、それぞれの中心を互いに一致させながら重ねた状態で一方に対して他方が回動可能なように接続するための接続部と、を備えたことを特徴とするものである。
【００１１】
また、本考案によるヘアカラー似合わせ早見表においては、前記第１円形シートの前記各ブロックには、それぞれ、対応するヘアカラーの色見本の色が着色・表示されている、ことが望ましい。
【００１２】
また、本考案によるヘアカラー似合わせ早見表においては、前記第２円形シートの表面側には、前記第１円形シートと同じか少し大きい半径を有する第３円形シートであって、少なくとも約３０度から約１２０度までの間のいずれかの中心角を構成する２つの半径により挟まれた部分が切り欠かれて成る表紙用の第３円形シートが、前記第１及び第２円形シートに対してそれらの各中心を互いに一致させながら重ねた状態で回動可能なように接続されている、ことが望ましい。
【００１３】
また、本考案によるヘアカラー似合わせ早見表においては、前記第１円形シートの前記各ブロックの外周縁部に、それぞれ、対応するヘアカラーの実物見本が取り付けられている、ことが望ましい。
【００１４】
また、本考案によるヘアカラー似合わせ早見表においては、前記の各ヘアカラーの実物見本は、それぞれ、少なくとも複数回の着脱が可能な粘着テープ（例えば商品名称「マジックテープ」）により、前記第１円形シートに対して着脱可能に取り付けられている、ことが望ましい。
【００１５】
また、本考案によるファッション似合わせ早見表においては、前記第３円形シートの表面側に、前記第１円形シートと同じか少し大きい半径を有する表紙用の円形シートであって、少なくとも約３０度から約１２０度までの間のいずれかの中心角を構成する２つの半径により挟まれた部分が切り欠かれて成る表紙用の円形シートが、前記第１、第２及び第３円形シートに対してそれらの各中心を互いに一致させながら重ねた状態で回動可能なように接続されている、ことが望ましい。
【００１６】
また、本考案によるヘアスタイル似合わせ早見表においては、前記第３円形シートの表面側に、前記第１円形シートと同じか少し大きい半径を有する表紙用の円形シートであって、少なくとも約３０度から約１２０度までの間のいずれかの中心角を構成する２つの半径により挟まれた部分が切り欠かれて成る表紙用の円形シートが、前記第１、第２及び第３円形シートに対してそれらの各中心を互いに一致させながら重ねた状態で回動可能なように接続されている、ことが望ましい。
【考案の効果】
【００１７】
各美容師、スタイリスト、デザイナーなどは、本考案によるヘアカラー、ファッション、ヘアスタイルの似合わせ早見表を使用することにより、各顧客の肌の色、顔の形、服装（ファッション）、ヘアスタイルなどから、その顧客に適したヘアカラー、ファッション、ヘアスタイルを容易に知ってそれを顧客に提案・推奨することができるので、美容師などの各人の経験や美的センスのバラツキに拘わらず、常に一定レベル以上の品質の美容サービスを顧客に提供することが可能になる。
【００１８】
また、各美容師などは、本考案のヘアカラー、ファッション、ヘアスタイルの似合わせ早見表を使用することにより、自己が提案・推奨したヘアカラー、ファッション、ヘアスタイルがその顧客にとって最適なものであることをその顧客に納得させることが容易になり、美容サービスを効率的に提供することが可能になる。
【００１９】
さらに、美容師などの専門学校などにおいても、本考案のヘアカラー、ファッション、ヘアスタイルの似合わせ早見表を使用することにより、美容師などを目指す人たちに、各顧客にとって最適なヘアカラー、ファッション、ヘアスタイルを選択し提案・推奨するための知識やノウハウを的確に教授することが可能になる。
【００２０】
また、本考案において、前記第１円形シートの前記各ブロックに、それぞれ、対応するヘアカラーの色見本の色を着色・表示するようにしたときは、美容師や顧客や専門学校の生徒たちは、各顧客に適したヘアカラーを直感的に理解できるようになる。
【００２１】
また、本考案において、少なくとも約３０度から約１２０度までの間のいずれかの中心角を構成する２つの半径により挟まれた部分（切り欠き部）が切り欠かれて成る表紙用の円形シートを回動可能に備えるようにしたときは、各顧客に対応又は関連する情報を前記切り欠き部を介して中心に表示させ、他の情報は前記表紙用の円形シートで隠すことができるので、美容師や顧客や専門学校の生徒たちの理解をより容易にすることができる。また、この表紙用円形シートの一部を、美容院や美容用品などの広告用スペースとして使用して、似合わせ早見表の付加価値を高めることもできる。
【００２２】
また、本考案において、前記第１円形シートの前記各ブロックの外周縁部に、それぞれ、対応するヘアカラーの実物見本を取り付けるようにしたときは、美容師や顧客や専門学校の生徒たちは、各顧客に適したヘアカラーを、より直感的に理解できるようになる。
【００２３】
さらに、本考案において、前記の各ヘアカラーの実物見本を、それぞれ、少なくとも複数回の着脱が可能な粘着テープにより、前記第１円形シートに対して着脱可能に取り付けられるようにしたときは、各ヘアカラーの実物見本を、随時、別の見本や新しい見本に交換することができるので、本考案によるヘアカラー似合わせ早見表の使い勝手を向上させることができる。
【考案を実施するための最良の形態】
【００２４】
本考案を実施するための最良の形態は、以下の実施例１について述べるような形態である。
【実施例１】
【００２５】
以下、本考案の実施例１による、各顧客のスキンカラー（肌のタイプ）、フェイスシェイプ（顔の形）、ヘアスタイル、及びファッション（服装）に応じて最適なヘアカラーを提示することができる、ヘアカラー似合わせ早見表の一例を説明する。
【００２６】
図１は本実施例１の一部を構成する紙製又はプラスチック製の円形シート１を示す平面図である。前記円形シート１は、図１に示すように、その最外周側に計３６個のブロック１ａが均等に外周に沿って形成されている。前記の計３６個の各ブロック１ａ（の一部）には、それぞれ異なる種類のヘアカラーを示す情報、例えばＮ４，Ｎ５，Ｎ６などの記号が印刷・表示されている。ここで、前記ヘアカラーの種類は、例えば明度、彩度（色）の組み合わせ（色調）により類型化されるものである。また、図示していないが、前記の各ブロック１ａ（の一部）には、それぞれ対応するヘアカラーを示す実際の色が印刷などにより着色・表示されている。また、本実施例１では、前記各ブロック１ａの３個ずつを一つのグループとして纏めたとき、その各グループ毎に、それぞれ対応する各ブロック１ｂが、計１２個、前記各ブロック１ａの内周側に形成されている。前記各ブロック１ｂの中には、そのグループのヘアカラーの特徴を説明するための情報（例えば「ヘアカラーＮＨ  中間色系・低明度・中低彩度」などの文字情報）が印刷・表示されている。
【００２７】
次に、図２は本実施例１の一部を構成する紙製又はプラスチック製の円形シートであって、前記円形シート１の表面側に重ねて使用される円形シート２を示す平面図である。前記円形シート２は、前記の図１に示す円形シート１の各ブロック１ｂを構成する内周側の円（図１の符号１ｃ参照）と略同一かこれよりも少しだけ小さい半径を有するように形成されている。前記円形シート２には、図２に示すように、その最外周側に計１２個のブロック２ａが外周に沿って均等に形成されている。前記の計１２個の各ブロック２ａ（の一部）には、それぞれ異なる種類のファッションのタイプを示す情報、例えばクラシカル系、キュート系などの文字情報や、ファッションのタイプを示す色情報（図２の符号２ｂ参照）などが印刷・表示されている。なお、前記のファッションのタイプとは、彩度、明度、及び服装の質感の組み合わせにより分類される服装の類型である。
【００２８】
次に、図３は本実施例１の一部を構成する紙製又はプラスチック製の円形シートであって、前記の図２に示す円形シート２の表面側に重ねて使用される円形シート３を示す平面図である。前記円形シート３は、前記の図２に示す円形シート２の各ブロック２ａを構成する内周側の円（図２の符号２ｃ参照）と略同一かこれよりも少しだけ小さい半径を有するように形成されている。前記円形シート３には、図３に示すように、その最外周側に計１２個のブロック３ａが均等に形成されている。前記の計１２個の各ブロック３ａ（の一部）には、それぞれ異なる種類のヘアスタイル（造形）のタイプを示す記号や情報、例えば「ヘアスタイルＮＨ  卵型で重い」、「ヘアスタイルＷＳ  丸型で軽い」などの文字情報が印刷・表示されている。なお、前記のヘアスタイルのタイプとは、フォルム、テクスチャー、視覚的テクスチャー、及びマテリアルの組み合わせにより分類されるヘアの造形の類型である。
【００２９】
次に、図４は本実施例１の一部を構成する紙製又はプラスチック製の円形シートであって、前記の図３に示す円形シート３の表面側に重ねて使用される円形シート４を示す平面図である。前記円形シート４は、前記の図３に示す円形シート３の各ブロック３ａを構成する内周側の円（図３の符号３ｂ参照）と略同一かこれよりも少しだけ小さい半径を有するように形成されている。前記円形シート４には、図４に示すように、その最外周側に計１２個のブロック４ａが均等に外周に沿って形成されている。前記の計１２個の各ブロック４ａ（の一部）には、それぞれ異なる種類のフェイスシェイプ（顔の形）のタイプを示す記号や情報、例えば「フェイスシェイプＮＨ  （卵型・楕円形）  骨格がはっきりしている（やせている）」、「フェイスシェイプＷＳ  （丸型・下膨れ系）  骨格がはっきりしている（やせている）」などの文字情報が印刷・表示されている。なお、前記のフェイスシェイプのタイプとは、ライン（形）やテクスチャー（質感）の組み合わせにより分類される顔形の類型である。
【００３０】
次に、図５は本実施例１の一部を構成する円形シートであって、前記の図４に示す円形シート４の表面側に重ねて使用される円形シート５を示す平面図である。前記円形シート５は、前記の図４に示す円形シート４の各ブロック４ａを構成する内周側の円（図４の符号４ｂ参照）と略同一かこれよりも少しだけ小さい半径を有するように形成されている。前記円形シート５には、図５に示すように、その外周側に計１２個のブロック５ａが均等に外周に沿って形成されている。前記の計１２個の各ブロック５ａ（の一部）には、それぞれ異なる種類のスキンカラーのタイプを示す記号や情報、例えば「Ｓ６．５レベル以上の人」、「Ｓ６．５レベル程度の人」、「Ｓ６．５レベル以下の人」などの文字情報が印刷・表示されている。また、本実施例１では、前記各ブロック５ａの３個ずつを一つのグループとして纏めたとき、その各グループ毎に、それぞれ対応する各ブロック５ｂが、計４個、形成されている。前記各ブロック５ｂの中には、そのグループのスキンカラーのタイプの特徴を説明するための情報（例えば「スキン  Ｎ  イエロー・ブルーの両方の要素を含む」、「スキン  Ｗ  イエローを含む」など）が印刷・表示されている。なお、前記のスキンカラーのタイプとは、肌の彩度（色）や明度の組み合わせにより分類される肌に関する類型である。
【００３１】
次に、図６は以上に説明した各円形シート１，２，３，４，５を前記円形シート１を最下層にしその上に前記各円形シート２，３，４，５を順次重ねた状態を示す平面図である。本実施例１では、これらの各円形シート１〜５は、前述のように重ねられ且つそれらの各中心点（図６の符号６参照）が互いに略一致した状態で、公知の接続部（例えば、上端部と下端部にそれぞれ脱落防止用ストッパが取り付けられているピン状の金属金具。図７の符号７参照）により、各中心点６を中心に互いに独立に回動可能なように接続されている。
【００３２】
図７は図６に関して説明した前記各円形シート１〜５の接続状態を示す一部を断面とする斜視図である。図７に示すように、本実施例１では、前記各円形シート１〜５は、前記の最も半径が大きい円形シート１を最下層とし、その上に前記各円形シート２〜５を順次重ねた状態で、且つ、それらの各中心点６（図６参照）を図示上下方向に貫くピン状接続部７により、前記各中心点６を中心に互いに独立に回動可能となっている。なお、図７において、７ａ，７ｂは、それぞれ、前記各円形シート１〜５が前記ピン状接続部７の上方又は下方から脱落してしまうことを防止するために、前記ピン状接続部７の上端部と下端部に設けられた略円板状のストッパである。本実施例１では前記ピン状接続部７は金属製としているが、プラスチック製としてもよい。また、図７においては、各円形シート１〜５の表面側に印刷されている情報は、便宜上、図示を省略している。
【００３３】
次に、本実施例１によるヘアカラー似合わせ早見表の使用方法を図６を参照して説明する。美容師や美容の専門学校の生徒たちは、（１）まず、顧客の肌を見ながら、そのスキンカラーのタイプに対応する円形シート５のブロック５ａを早見表の上方に回動させる。例えば、図６において、顧客のスキンカラーが「イエロー・ブルーの両方の要素を含む、Ｎ６．５レベル程度」である場合は、前記円形シート５を回動させて、その「Ｎ６．５レベル程度の人」というブロック５ａを図示上方に配置させる。
【００３４】
（２）次に、顧客の顔を見ながら、そのフェイスシェイプのタイプに対応する円形シート４のブロック４ａを早見表の上方に回動させる。例えば、図６において、顧客のフェイスシェイプが「ＮＮ（卵型・楕円型）  普通」である場合は、前記円形シート４を回動させて、その「ＮＮ（卵型・楕円型）  普通」というブロック４ａを図示上方に配置させる。
【００３５】
（３）次に、顧客の頭髪を見ながら、そのヘアスタイルのタイプに対応する円形シート３のブロック３ａを早見表の上方に回動させる。例えば、図６において、顧客のヘアスタイルが「ＮＮ（卵型で普通）」である場合は、前記円形シート３を回動させて、その「ＮＮ（卵型で普通）」というブロック３ａを図示上方に配置させる。
【００３６】
（４）次に、顧客の服装を見ながら、そのファッションのタイプに対応する円形シート２のブロック２ａを早見表の上方に回動させる。例えば、図６において、顧客のファッションが「フェミニン系」である場合は、前記円形シート２を回動させて、その「フェミニン系」というブロック２ａを図示上方に配置させる。
【００３７】
（５）以上の（１）〜（４）までの動作を行うと、図６に示すように、前記各円形シート５，４，３，２の図示上方に位置する各ブロック５ａ，４ａ，３ａ，２ａは、それぞれ、当該の顧客のスキンカラー、フェイスシェイプ、ヘアスタイル、及びファッションのタイプを表している。これらの各ブロックの中で、スキンカラー、フェイスシェイプ、及びヘアスタイルを示す各ブロック５ａ，４ａ，３ａは、いずれも「Ｎ」又は「ＮＮ」の記号を表示している。この「Ｎ」又は「ＮＮ」などの記号は、スキンカラー、フェイスシェイプ、ヘアスタイル、ファッション、及びヘアカラーなどの各要素の相互の組み合わせの相性度を示すもので、同じ記号を有するもの同士は組み合わせの相性が良いとされているものである。また、この図６では示していないが、ファッションに関する前記ブロック２ａの「フェミニン系」も前記の「Ｎ」又は「ＮＮ」との組み合わせの相性がよいということになっている。そこで、美容師又は美容師を目指す生徒は、図６の最外周（最下層）側の円形シート１を回動させて、前記の「Ｎ又はＮＮの記号を有する、スキンカラー、フェイスシェイプ、ヘアスタイル、及びファッション」との組み合わせの相性がよいとされる同じ「Ｎ」「ＮＮ」の記号を有する「ヘアカラーＮＮ」を有するブロック１ｂが図示上方に位置するように、前記円形シート１を回動させる。
【００３８】
このようにして前記円形シート１が回動させられて図示上方に位置されたブロック１ａは、「ヘアカラーＮＮ  中間色系・中明度・中高彩度」というグループに含まれる「Ｎ７」「Ｎ８」及び「Ｎ９」となる。よって、本実施例１の早見表を使用する美容師や美容の専門学校の生徒たちは、当該の顧客に最適なヘアカラーが「Ｎ７」「Ｎ８」又は「Ｎ９」であるということを容易に知ることができるようになる。
【００３９】
以上のように、本実施例１によるヘアカラー似合わせ早見表を使用することにより、美容師たちは、個々の美容師毎の経験や美的センスのバラツキに拘わらず、各顧客にとって最適なヘアカラーを選択し提案・推奨して一定レベル以上の品質の美容サービスを提供できるようになる。また、美容師たちは、この早見表を顧客に見せることにより、顧客に自分が提案・推奨しているヘアカラーが顧客にとって最適であることを納得してもらうことが容易になる。さらに、美容師の専門学校などにおいても、美容師を目指す生徒たちに、各顧客にとって最適なヘアカラーを提案・推奨するための知識やノウハウを教授することがより容易になるというメリットが得られる。また、特に、本実施例１では、前記早見表の最下層の円形シート１の外周部分の各ブロック１ａに、対応するヘアカラーの見本の色を着色・表示するようにしているので、美容師や顧客は、その顧客に最適なヘアカラーを直感的に知ることができる。
【実施例２】
【００４０】
次に、本考案の実施例２によるヘアカラー似合わせ早見表を説明する。本実施例２は、前記実施例１と基本的な構成は同一であるので、以下では異なる部分のみを説明しそれ以外は説明を省略する。
【００４１】
本実施例２は、前記実施例１のヘアカラー似合わせ早見表の最上層の円形シート５の上に、図８に示すような表紙用の円形シート８を配置して成るものである。この表紙用円形シート８は紙製又はプラスチック製で、最下層に位置する円形シート１と同じかそれよりも少しだけ大きい半径を有するように形成されている。また、この表紙用円形シート８は、図８に示すように、例えば約９０度の中心角を構成する２つの半径８ａ，８ｂに挟まれた部分（切り欠き部）８ｃが切り欠かれている。また、この表紙用円形シート８は、図７に示すピン状接続部７により、他の円形シート１〜５とは独立に回動可能なように、他の円形シート１〜５と一緒に接続されている。
【００４２】
図９は、前記の表紙用円形シート８を備えた状態を示す本実施例２の平面図である。本実施例２を使用するときは、図９に示すように、他の円形シート１〜５の内容が、前記切り欠き部８ｃの範囲内だけ露出し、それ以外の部分は露出しないようになっているので、美容師や顧客や生徒たちは当該の顧客の属性に即した部分のみを集中して見ることができ、当該の顧客にとっての最適なヘアカラーに関する理解がより容易になる、というメリットが得られる。また、本実施例２によるときは、前記表紙用円形シート８の一部のスペース（図９の符号８ｄ参照）に企業の商品やサービスの広告を表示することができるので、本実施例２による早見表の付加価値を高めることもできる。
【実施例３】
【００４３】
次に、本考案の実施例３によるヘアカラー似合わせ早見表を説明する。本実施例３は、前記実施例１と基本的な構成は同一であるので、以下では異なる部分のみを説明しそれ以外は説明を省略する。
【００４４】
本実施例３は、図１０の平面図に示すように、前記実施例１のヘアカラー似合わせ早見表の最下層の円形シート１の各ブロック１ａにそれぞれ対応するヘアカラーの実物見本９を、前記円形シート１の外周縁部に、前記各ブロック１ａとの対応関係が分かるように取り付けて成るものである。なお、図１０では、図示の便宜上から、前記円形シート１，２，３の一部のみを示している。
【００４５】
図１１は、前記ヘアカラーの実物見本９の一例を示す図である。前記実物見本９は、多数の人工髪又は実物の髪９ａと、これらの髪９ａの下端部を束ねる結束部９ｂと、前記結束部９ｂの表面側に付着された粘着テープ９ｃ（商品名「マジックテープ」などの複数回の着脱が可能な粘着テープ）と、により構成されている。また、本実施例３では、前記円形シート１の外周縁部の裏側の面にも粘着テープが付着されている。よって、前記各実物見本９は、前記粘着テープ９ｃにより、前記円形シート１の外周縁部の裏側面に着脱自在に取り付けられるようになっている。
【００４６】
以上に説明したように、本実施例３においては、前記円形シート１の前記各ブロック１ａの外側に、それぞれ、対応するヘアカラーの実物見本９を取り付けているので、美容師や顧客や専門学校の生徒たちは、各顧客に適したヘアカラーの内容を、より直感的に理解できるようになる。また、本実施例３によれば、前記の各ヘアカラーの実物見本９を、それぞれ、複数回の着脱が可能な粘着テープ９ｃにより、前記円形シート１の外周縁部の裏面側に着脱可能に取り付けるようにしているので、各ヘアカラーの実物見本９を、随時、別の見本や新しい見本に交換することができ、ヘアカラー似合わせ早見表の使い勝手を向上させることができるようになる。
【００４７】
以上、本考案の各実施例について説明したが、本考案及び本考案を構成する各構成要件は、それぞれ、前記の各実施例及び前記の各実施例を構成する各要素として述べたものに限定されるものではなく、様々な修正及び変更が可能である。例えば、前記実施例１では、顧客のフェイスシェイプのタイプをライン（形）やテクスチャー（質感）の組み合わせにより分類される顔形の類型としているが、本考案では、例えば、狸型、狐型、犬型、猫型などのような他の様々な観点から類型化したものであってもよい。また、前記実施例１では、顧客のファッションのタイプを彩度や明度の組み合わせにより分類される服装の類型としているが、本考案では、例えば、渋谷系、六本木ヒルズ系などのような他の様々な観点から類型化したものであってもよい。また、前記実施例１では、顧客のヘアスタイルのタイプをラインやテクスチャーの組み合わせにより分類されるヘアの造形の類型としているが、本考案では、例えば、女子高生系、オフィスＯＬ系などのような他の様々な観点から類型化したものであってもよい。また、前記実施例１では、顧客のスキンカラーのタイプを肌の彩度（色）や明度の組み合わせにより分類される肌に関する類型としているが、本考案では、例えば、色白系、健康肌系などのような他の様々な観点から類型化したものであってもよい。
【図面の簡単な説明】
【００４８】
【図１】本考案の実施例１を構成する部品としての円形シート１を示す平面図。
【図２】本実施例１を構成する部品としての円形シート２を示す平面図。
【図３】本実施例１を構成する部品としての円形シート３を示す平面図。
【図４】本実施例１を構成する部品としての円形シート４を示す平面図。
【図５】本実施例１を構成する部品としての円形シート５を示す平面図。
【図６】図１から図５までの各円形シートを重ねた状態を示す平面図。
【図７】図１から図５までの各円形シートを重ねた状態を示す、一部を断面とする斜視図。
【図８】本考案の実施例２に使用する表紙用円形シートを示す平面図。
【図９】本実施例２によるヘアカラー似合わせ早見表を示す平面図。
【図１０】本考案の実施例３によるヘアカラー似合わせ早見表の一部を示す平面図。
【図１１】本考案の実施例３に使用されるヘアカラーの実物見本を示す斜視図。
【符号の説明】
【００４９】
１，２，３，４，５  円形シート
１ａ，１ｂ，２ａ，３ａ，４ａ，５ａ，５ｂ  ブロック
８  表紙用円形シート
８ｃ  切り欠き部
８ｄ  広告用スペース
９  ヘアカラーの実物見本
９ｃ  粘着テープ
【図１】
0003132401.tif 000003
【図２】
0003132401.tif 000004
【図３】
0003132401.tif 000005
【図４】
0003132401.tif 000006
【図５】
0003132401.tif 000007
【図６】
0003132401.tif 000008
【図７】
0003132401.tif 000009
【図８】
0003132401.tif 000010
【図９】
0003132401.tif 000011
【図１０】
0003132401.tif 000012
【図１１】
0003132401.tif 000013